(57)【要約】  本発明は基地局の省エネ方法とシステムを開示しており、第一の条件を満たすと、基地局が省エネモードに入り、前記基地局の少なくとも１つのマルチ入力マルチ出力（MIMO）セルを非MIMOセルに再配置し；第二の条件を満たすと、基地局が正常モードに入り、前記基地局の少なくとも１つの非MIMOセルをMIMOセルに再配置する。本発明は動的にセルモードを配置でき、そうして、MIMO端末の体験程度を維持した上で、ユーザーデータ量が大きくない場合に基地局のエネルギー消費量を節約できる。
2013506356.tif 000002
【特許請求の範囲】
【請求項１】
基地局の省エネ方法であって、
第一の条件を満たすと、基地局が省エネモードに入り、前記基地局の少なくとも１つのマルチ入力マルチ出力（MIMO）セルが非MIMOセルに再配置されることと、
第二の条件を満たすと、基地局が正常モードに入り、前記基地局の少なくとも１つの非MIMOセルがMIMOセルに再配置されることとが含まれる、基地局の省エネ方法。
【請求項２】
前記第一の条件はMIMOセルのユーザーデータ量が一定の期間内継続的に、あらかじめ設定されたMIMOセルから非MIMOセルに再配置するユーザーデータ量の閾値よりも小さいこと、及び／又はシステムにあらかじめ設定されたMIMOセルから非MIMOセルに再配置する時点であることが含まれる請求項１に記載の方法。
【請求項３】
前記第二の条件は非MIMOセルのユーザーデータ量が一定の期間内継続的に、あらかじめ設定された非MIMOセルからMIMOセルに回復するユーザーデータ量の閾値よりも大きいこと、及び／又はシステムにあらかじめ設定された非MIMOセルからMIMOセルへ回復する時点であることが含まれる請求項１に記載の方法。
【請求項４】
前記基地局の少なくとも１つのMIMOセルが非MIMOセルに再配置されるステップは、
基地局のコントローラーが接続フレーム番号（CFN）付きの再配置メッセージを基地局に送信し、基地局にMIMOセルを非MIMOセルに再配置するように要求することと、
基地局がこの再配置メッセージを受信した後、指定されたCFNにおいて指定セルを非MIMOセルに再配置し、且つ一つの発射アンテナを閉じることとが含まれる請求項１に記載の方法。
【請求項５】
MIMOセルが非MIMOセルに再配置される前に、基地局のコントローラーはCFN付きのシステム情報ブロック（SIB）メッセージ或は再配置メッセージ或は自己定義メッセージによって、ユーザー設備（UE）に該CFNの時このMIMOセルが非MIMOセルに再配置されることを通知することが更に含まれる請求項１又は４に記載の方法。
【請求項６】
前記基地局の少なくとも１つの非MIMOセルをMIMOセルに再配置するステップは、
基地局のコントローラーはCFN付きの再配置メッセージを基地局に発信し、基地局に非MIMOセルをMIMOセルに再配置するように要求し、
基地局がこの再配置メッセージを受けた後、指定されたCFNにおいて指定セルをMIMOセルに再配置し、且つ閉じた一つの発射アンテナを開けることが含まれる請求項１に記載の方法。
【請求項７】
前記方法は、非MIMOセルをMIMOセルに再配置する前に、基地局のコントローラーはCFN付きのSIBメッセージ或は再配置メッセージ或は自己定義メッセージによって、UEに該CFNの時、該非MIMOセルがMIMOセルに再配置されることを通知することが更に含まれる請求項１又は６に記載の方法。
【請求項８】
前記基地局の少なくとも１つのMIMOセルを非MIMOセルに再配置することは、基地局が主動的に基地局のコントローラーにメッセージを送り、基地局のコントローラーに、MIMOセルを非MIMOセルに再配置するように指示し、或は基地局のコントローラーが主動的にMIMOセルを非MIMOセルに再配置することが含まれ、
前記基地局の少なくとも１つの非MIMOセルをMIMOセルに再配置することは、基地局が主動的に基地局のコントローラーにメッセージを送り、基地局のコントローラーに、非MIMOセルをMIMOセルに再配置するように指示し、或は基地局のコントローラーが主動的に非MIMOセルをMIMOセルに再配置することが含まれる請求項１に記載の方法。
【請求項９】
基地局の省エネシステムであって、
第一の条件を満たす時、省エネモードに入り、該基地局の少なくとも１つのマルチ入力マルチ出力（MIMO）セルを非MIMOセルに再配置し、第二の条件を満たすと、正常モードに入り、該基地局の少なくとも１つの非MIMOセルをMIMOセルに再配置するように設置された基地局が含まれる基地局の省エネシステム。
【請求項１０】
前記第一の条件はMIMOセルのユーザーデータ量が一定の期間内継続的に、あらかじめ設定されたMIMOセルを非MIMOセルに再配置するユーザーデータ量閾値よりも小さいこと、及び／又は、システムにあらかじめ設定した、MIMOセルを非MIMOセルに再配置する時点であることが含まれる請求項９に記載のシステム。
【請求項１１】
前記第二の条件は非MIMOセルのユーザーデータ量が一定の期間内継続的に、あらかじめ設定された非MIMOセルからMIMOセルに回復するユーザーデータ量閾値よりも大きい、及び／又はシステムにあらかじめ設定した、非MIMOセルからMIMOセルに回復した時点であることが含まれる請求項９に記載のシステム。
【請求項１２】
前記システムは接続フレーム番号（CFN）付きの再配置メッセージを基地局に送信し、基地局にMIMOセルを非MIMOセルに再配置すると要求するように設置された基地局のコントローラーも含まれ、
前記基地局は該再配置メッセージを受けた後、指定されたCFNにおいて指定セルを非MIMOセルに再配置し、且つ一つの発射アンテナを閉じるように、該基地局の少なくとも１つのMIMOセルを非MIMOセルに再配置するように設置される請求項９に記載のシステム。
【請求項１３】
前記基地局のコントローラーはMIMOセルを非MIMOセルに再配置する前に、CFN付きのSIBメッセージ或は再配置メッセージによって、ユーザー設備（UE）に該CFNの時に、MIMOセルが非MIMOセルに再配置されることを通知するように更に設置れる請求項１２に記載のシステム。
【請求項１４】
前記システムはCFN付きの再配置メッセージを基地局に送信し、基地局に非MIMOセルをMIMOセルに再配置の指示をするように設置された基地局のコントローラーも含まれ、
前記基地局はこの再配置メッセージを受けた後、指定されたCFNにおいて指定セルをMIMOセルに再配置し、且つ閉じた一つの発射アンテナを開けるように、この基地局の少なくとも１つの非MIMOセルをMIMOセルに再配置すると設置される請求項９に記載のシステム。
【請求項１５】
前記基地局のコントローラーは非MIMOセルをMIMOセルに再配置する前に、CFN付きのSIBメッセージ或は再配置メッセージによって、UEに該CFNの時、この非MIMOセルがMIMOセルに再配置さるることを通知ように更に設置される請求項１４に記載のシステム。
【請求項１６】
基地局の省エネシステムであって、
第一の条件を満たすと、基地局が送信した指示メッセージを受信し、MIMOセルを非MIMOセルに再配置し、第二の条件を満たすと、基地局が送信する指示メッセージを受信し、非MIMOセルをMIMOセルに再配置し、或は、
第一の条件を満たすと、主動的にMIMOセルを非MIMOセルに再配置し、第二の条件を満たすと、主動的に非MIMOセルをMIMOセルに再配置するように設置された基地局のコントローラーを含む基地局の省エネシステム。
【発明の詳細な説明】
【発明の詳細な説明】
【０００１】
〔技術分野〕
本発明は無線通信システムに関し、具体的に基地局の省エネ方法及びシステムに関する。
【０００２】
〔背景技術〕
現在、電気通信業者の利潤は次第に低下しており、電気通信事業は市場シェアと業種を拡大することで、収入増加を実現し、一方、運営コスト（OPEX）の削減もますます注目されるようになっており、設備のエネルギー消費はOPEXの１つの重要な部分となっている。
【０００３】
UMTS（Universal Mobile Telecommunications System、ユニバーサル・モバイル・テレコミュニケーション・システム）はユーザーの通話を構築と制御する１つ又は複数のCN（Core Network、コアネットワーク）、及びエアインタフェースがアクセスすることを制御するUTRAN（UMTS Terrestrial Radio Access Network、地上波無線アクセスネットワーク）といういくつかの主要なコンポーネントに分けられる。UTRANはRNC（Radio Network Controller、無線ネットワーク制御装置）とNodeB（基地局）という二つのネットワーク構成要素を含み、その中に、基地局はベースバンドユニット（BBU）と高周波処理ユニット（RU）を更に含む。UTRANの基本設計概念は図１に示す通りである。BBUの主要な機能はUuインターフェースを完成させるベースバンド機能（空気伝送のチャンネルのコーディング、多重伝送、変調とスペクトル拡散等に適する）、無線ネットワーク制御装置（RNC）とのIubインターフェース機能、シグナリング処理、ローカルとリモートな操作保守機能、及び基地局システムの作動状態モニタリングと警告情報報告機能がある。RUの主要な機能は、
光伝送の変調復調、デジタル・アップ／ダウン・コンバータ、A/D変換の機能を完成させる中間周波数モジュール；
中間周波数信号から無線周波数信号への変換機能を完成させる送受信機モジュール；
信号の増強機能を完成させる電力増幅器；
信号のフィルタ機能を完成させるフィルタリングモジュールが含まれる。
【０００４】
図１によると、１つのRNCは一般的に複数のNodeBを含み、１つのNodeBは一般的に１つのベースバンドユニット（BBU）と複数の高周波処理ユニット（RU）を含むので、高周波処理ユニットの電力消費量を節約できれば、UTRAN全体の電力消費量を大幅に節約できることが分かった。
【０００５】
高速ダウンリンク・パケット・アクセス(HSDPA)は第三世代パートナーシッププロジェクト(3GPP)のバージョン5 (Release-5)における提出された技術の一種であり、ダウンリンク方向（ネットワークから端末へ）のネットワークデータスループットを高めることに用いられ、それが設計したセルと単一のユーザーのダウンリンクピークデータレートが14.4 Mbpsに達することできる。その後、ダウンリンクピークデータレートをより高くするために、HSPA+新技術を導入し、これらの技術はRelease-7に提出されたDL 64QAM高次変調とマルチ入力マルチ出力(MIMO)アンテナ技術、及びRelease-8に提出されたマルチ搬送波（DC）HSDPA技術、及びRelease-9に提出されたDC HSDPA+MIMO技術を含む。
【０００６】
MIMOはマルチアンテナによって、チャンネルフェージングを抑え、帯域幅を増加させずに、無線チャンネルの容量と周波数スペクトルの利用率を高めることができる。MIMOが導入された後、MIMO+16QAMの場合に、セルと単一ユーザーのピークデータレートが28.8Mbpsであり、MIMO+64QAMの場合に、43.2Mbpsに達することができる。しかし、MIMO技術をサポートするために、送信側がデータを二本の関係のないアンテナに変調して同時に発送し、受信側も二本の独立したアンテナにおいて同時にデータを受信し、且つ復調する必要がある。3GPP TS 25.214は図２に示すMIMOの技術原理図を示す。
【０００７】
MIMOの二本のアンテナにおけるパイロット配置方式は二種類がある：
一本のアンテナがAntenna1の変調モードでP-CPICHチャンネルを送信し、もう一本のアンテナがAntenna2の変調モードでP-CPICHチャンネルを発射し、即ち、メインパイロット−メインパイロットモードであり、
二本のアンテナがAntenna1の変調モードでそれぞれP-CPICHとS-CPICHチャンネルを送信し、即ちメインパイロット−サブパイロットモードである。
【０００８】
図２によると、MIMOが二セットの高周波処理ユニット（RU）を必要とし、一セットがそれぞれ一本のアンテナのデータを処理することが分かる。カバーが同じ場合、メインパイロット−メインパイロット方式を配置するMIMOセルが対応する各々のRUが配置された共通チャネルの発射電力は非MIMOセルの半分となり、従って、二つのRUを合計する共通チャネル発射電力が非MIMOセルと同様となり、メインパイロット−サブパイロット方式を配置するMIMOセルに対して、メインパイロット配置の発射電力が非MIMOと同じで、サブパイロットの発射電力は実際の状況に応じ配置でき、他の共通チャネルの各RUにおける発射電力が全部非MIMOセルの半分であり、従って、二つのRUを合計する共通チャネル発射電力は非MIMOセルより、サブパイロットの配置される電力が多い。
【０００９】
同時に、RUの電力消費量が発射電力及びその電力増幅器の効率と関係し、同じ発射電力の下で、電力増幅器の効率が低ければ低いほど、電力消費量が多い。またRUの電力増幅器効率はその出力電力と関係しており、同じRUは出力電力が高ければ高いほど電力増幅器の効率も高い。このため、メインパイロット−メインパイロット方式のMIMOセルの場合、合計した発射電力が非MIMOセルと同じであるが、各々のMIMOセルのRU発射電力が非MIMOセルRUの半分しかないため、その電力増幅器の効率が非MIMOセルのRUより低くなることによって、その合計の電力消費量が非MIMOセルより高いことを導いてしまう。メインパイロット−サブパイロット方式のMIMOセルに対して、その合計した発射電力が非MIMOより高くなるので、その合計した電力消費量は明らかに非MIMOセルより高くなっている。
【００１０】
現在、UMTSシステムにおいて、セルがMIMOモードに固定配置するか又は非MIMOモードに固定配置する。MIMOモードに配置されたセルのメリットはユーザーデータのスループット率を高めることにあり、しかし、MIMOセルでの端末ユーザーがMIMO二重方法を用いて、スケジューリングできるかどうかは、端末の能力、端末のユーザーデータ量の大きさ及び端末ユーザーのCQIと関係しており、端末ユーザーがMIMO二重方法を満たさない状況においても、MIMOモードで発射すると、RUの電力消費量を浪費してしまう。非MIMOモードに配置されたセルはそのRUの電力消費量がMIMOセルより小さくしているが、MIMO端末ユーザーはMIMOの高速データスループット率を体験できない。
【００１１】
〔発明の概要〕
本発明が解決しようとする技術課題は、基地局の省エネ方法及びシステムを提供することであり、MIMOユーザー体験度を満足させた上で、適切な時間に適合に基地局のエネルギー消費量を節約できる。
【００１２】
前記問題を解決するために、本発明は基地局の省エネ方法を提供し、
第一の条件を満たすと、基地局が省エネモードに入り、前記基地局の少なくとも１つのマルチ入力マルチ出力（MIMO）セルが非MIMOセルに再配置され、
第二の条件を満たすと、基地局が正常モードに入り、前記基地局の少なくとも１つの非MIMOセルがMIMOセルに再配置されることが含まれる。
【００１３】
前記第一の条件はMIMOセルのユーザーデータ量が一定の期間内継続的に、あらかじめ設定されたMIMOセルから非MIMOセルに再配置するユーザーデータ量の閾値よりも小さいこと、及び／又はシステムにあらかじめ設定されたMIMOセルから非MIMOセルに再配置する時点であることが含まれる。
【００１４】
前記第二の条件は非MIMOセルのユーザーデータ量が一定の期間内継続的に、あらかじめ設定された非MIMOセルからMIMOセルに回復するユーザーデータ量の閾値よりも大きいこと、及び／又はシステムにあらかじめ設定された非MIMOセルからMIMOセルへ回復する時点であることが含まれる。
【００１５】
前記基地局の少なくとも１つのMIMOセルが非MIMOセルに再配置されるステップは、
基地局のコントローラーが接続フレーム番号（CFN）付きの再配置メッセージを基地局に送り出し、基地局にMIMOセルを非MIMOセルに再配置するように要求し、
基地局がこの再配置メッセージを受信した後、指定されたCFNで指定セルを非MIMOセルに再配置し、且つ一つの発射アンテナを閉じることが含まれる。
【００１６】
前記方法は、MIMOセルが非MIMOセルに再配置する前に、基地局のコントローラーはCFN付きのシステム情報ブロック（SIB）メッセージ或は再配置メッセージ或は自己定義メッセージによって、ユーザー設備（UE）に該CFN時点で該MIMOセルが非MIMOセルに再配置されることを通知することが更に含まれる。
【００１７】
前記基地局の少なくとも１つの非MIMOセルをMIMOセルに再配置するステップは、
基地局のコントローラーはCFN付きの再配置メッセージを基地局に発送し、基地局に非MIMOセルをMIMOセルに再配置するように要求し；
基地局がこの再配置メッセージを受けた後、指定されたCFNで指定セルをMIMOセルに再配置し、且つ閉じた一つの発射アンテナを開けることが含まれる。
【００１８】
前記方法は非MIMOセルをMIMOセルに再配置する前に、基地局のコントローラーはCFN付きのSIBメッセージ或は再配置メッセージ或は自己定義メッセージによって、UEにこのCFN時点でこの非MIMOセルがMIMOセルに再配置することを通知することが更に含まれる。
【００１９】
前記基地局の少なくとも１つのMIMOセルを非MIMOセルに再配置することは、基地局が主動的に基地局のコントローラーにメッセージを送り、又は、基地局のコントローラーがMIMOセルを非MIMOセルに再配置するように指示し、或は基地局のコントローラーが主動的にMIMOセルを非MIMOセルに再配置することが含まれ；
前記基地局の少なくとも１つの非MIMOセルをMIMOセルに再配置することは、基地局が主動的に基地局のコントローラーにメッセージを送り、基地局のコントローラーが非MIMOセルをMIMOセルに再配置するように指示し、或は基地局のコントローラーが主動的に非MIMOセルをMIMOセルに再配置することが含まれる。
【００２０】
基地局の省エネシステムであって、
第一の条件を満たす時、省エネモードに入り、この基地局の少なくとも１つのマルチ入力マルチ出力（MIMO）セルを非MIMOセルに再配置し；第二の条件を満たすと、正常モードに入り、この基地局の少なくとも１つの非MIMOセルをMIMOセルに再配置するように設置された基地局が含まれる。
【００２１】
前記第一の条件はMIMOセルのユーザーデータ量が一定の期間内継続的に、あらかじめ設定されたMIMOセルを非MIMOセルに再配置するユーザーデータ量閾値よりも小さいこと、及び／又は、システムにあらかじめ設定されたMIMOセルを非MIMOセルに再配置する時点であることが含まれる。
【００２２】
前記第二の条件は非MIMOセルのユーザーデータ量が一定の期間内継続的に、あらかじめ設定された非MIMOセルからMIMOセルに回復するユーザーデータ量閾値よりも大きいこと、及び／又はシステムにあらかじめ設定された非MIMOセルからMIMOセルに回復した時点であることが含まれる。
【００２３】
前記システムは接続フレーム番号（CFN）付きの再配置メッセージを基地局に送信し、基地局にMIMOセルを非MIMOセルに再配置すると要求するように設置された基地局のコントローラーが更に含まれ；
前記基地局はこの再配置メッセージを受けた後、指定されたCFNで指定セルを非MIMOセルに再配置し、且つ一つの発射アンテナを閉じるように、該基地局の少なくとも１つのMIMOセルを非MIMOセルに再配置すると設置される。
【００２４】
前記基地局のコントローラーはMIMOセルを非MIMOセルに再配置する前に、CFN付きのSIBメッセージ或は再配置メッセージによって、ユーザー設備（UE）に該CFN時MIMOセルが非MIMOセルに再配置されることを通知するように更に設置れる。
【００２５】
前記システムはCFN付きの再配置メッセージを基地局に送信し、基地局に非MIMOセルをMIMOセルに再配置の指示をするように設置された基地局のコントローラーが含まれ、
前記基地局はこの再配置メッセージを受けた後、指定されたCFNで指定セルをMIMOセルに再配置し、且つ閉じた一つの発射アンテナを開けるように、この基地局の少なくとも１つの非MIMOセルをMIMOセルに再配置するように設置される。
【００２６】
前記基地局のコントローラーは非MIMOセルをMIMOセルに再配置する前に、CFN付きのSIBメッセージ或は再配置メッセージによって、UEにこのCFN時、この非MIMOセルがMIMOセルに再配置されることを通知するように更に設置される。
【００２７】
基地局の省エネシステムであって、
第一の条件を満たすと、基地局が送信した指示メッセージを受信し、MIMOセルを非MIMOセルに再配置し、第二の条件を満たすと、基地局が送信する指示メッセージを受信し、非MIMOセルをMIMOセルに再配置し、或は、
第一の条件を満たすと、主動的にMIMOセルを非MIMOセルに再配置し；第二の条件を満たすと、主動的に非MIMOセルをMIMOセルに再配置するように設置された基地局のコントローラーを含む。
【００２８】
本文に提供された基地局の省エネ方法とシステムは、動的にセルモードを配置でき、同時に、MIMO端末の体験程度を維持した上で、ユーザーデータ量が大きくない場合に基地局のエネルギー消費量を節約できる。
【００２９】
〔図面の簡単な説明〕
図１は、UTRANの体系構造図である。
図２は、MIMOの技術原理図である。
図３は、本発明による実施流れ図である。
【００３０】
〔発明を実施するための形態〕
本発明により提供される基地局の省エネ方法は、MIMOをサポートする無線システムにおいて、第一の条件を満たすと、基地局が省エネモードに入り；第二の条件を満たすと、基地局が正常モードに回復することに用いられる。
【００３１】
上記方法において、基地局が省エネモードに入ると、前記基地局の少なくとも１つのMIMOセルを非MIMOセルに再配置する。
【００３２】
上記方法において、基地局が正常モードに回復すると、前記該基地局の少なくとも１つの非MIMOセルをMIMOセルに再配置する。
【００３３】
その中に、前記第一の条件はMIMOセルのユーザーデータ量が一定の期間内継続的に、あらかじめ設定されたMIMOセルから非MIMOセルに再配置するユーザーデータ量の閾値よりも小さいこと、及び／又はUTRANシステムにあらかじめ設定されたMIMOセルから非MIMOセルに再配置する時点であることが含まれる。第一の条件は必要に応じて定義されてもよく、本発明はこれを限定しないものとする。
【００３４】
前記第二の条件は非MIMOセルのユーザーデータ量が一定の期間内継続的に、あらかじめ設定された非MIMOセルからMIMOセルに回復するユーザーデータ量の閾値よりも大きいこと、及び／又はUTRANシステムにあらかじめ設定された非MIMOセルからMIMOセルへ回復する時点であることが含まれる。第二の条件は必要に応じ定義されてもよく、本発明はこれを限定しないものとする。
【００３５】
基地局及び／又は基地局のコントローラー、或は他のネットワーク設備によって、第一の条件或は第二の条件を満たすかどうかをモニタリングできる。
【００３６】
上記方法において、基地局が省エネモードに入るのは基地局が基地局のコントローラーに主動的に要求を出すことによって完成され、或は基地局が省エネモードに入るのは基地局のコントローラーが主動的に確定して完成される。すなわち、第一の条件を満たすと、基地局が基地局のコントローラーにメッセージを送り、基地局のコントローラーがMIMOセルを非MIMOセルに再配置するように指示し、或は基地局のコントローラーが主動的にMIMOセルを非MIMOセルに再配置する。
【００３７】
上記方法において、基地局が正常モードに入るのは基地局が基地局のコントローラーが主動的に要求を出すことによって完成され、或は基地局がモードに入るのは基地局のコントローラーが主動的に確定して完成される。すなわち、第二の条件を満たすと、基地局が主動的に基地局のコントローラーにメッセージを送り、基地局のコントローラーを非MIMOセルからMIMOセルに再配置し、或は基地局のコントローラーが主動的に非MIMOセルをMIMOセルに再配置する。
【００３８】
上記方法において、MIMOセルを非MIMOセルに再配置する前に、基地局とUEとを同期させるように、基地局のコントローラーはCFN（接続フレーム番号）付きのSIBメッセージによって、UEがこのCFNでこのMIMOセルが非MIMOセルに再配置されることを通知でき、同時に、CFN付きの再配置メッセージによって、UEがこのCFNでこのMIMOセルを非MIMOセルに再配置するように通知してもよい。
【００３９】
上記方法において、非MIMOセルからMIMOセルに回復する前に、基地局とUEとを同期するように、基地局のコントローラーはCFN付きのSIBメッセージによって、UEがこのCFNでこの非MIMOセルをMIMOセルに再配置するように通知でき；同時に、CFN付きの再配置メッセージによって、UEがこのCFNでこの非MIMOセルをMIMOセルに再配置するように通知してもよい。
【００４０】
上記方法において、基地局がRNCが送り出すCFN付きの再配置メッセージを受けた後、この再配置メッセージが基地局にMIMOセルを非MIMOセルに再配置するように要求し、指定されたCFNで指定セルを非MIMOセルに再配置し、且つ一つの発射アンテナを閉じ、同時に、RNCにセルが再配置することが成功したメッセージを返信し、その後、省エネモードに入る。
【００４１】
上記方法において、基地局がRNCの送り出したCFN付きの再配置メッセージを受けた後、この再配置メッセージは基地局が非MIMOセルをMIMOセルに再配置するように要求し、指定されたCFNで指定セルをMIMOセルに再配置し、且つ閉じた一つの発射アンテナを開け、同時に、RNCにセルが再配置することが成功したメッセージを返信し、その後、正常モードに入る。
【００４２】
図面を参考しながら、更に本発明の実現を説明する。
【００４３】
図３に示すように、MIMOモードに配置されたセルに対し、本発明の実現プロセスは、
UTRANシステムがMIMOセルから非MIMOセルに再配置する時点及びMIMOセルから非MIMOセルに再配置するユーザーデータ量閾値を予め設定し、再配置時点になる或はMIMOセルのユーザーデータ量が一定の期間内継続的に（ここのある時間は事業者の実際状況に応じ、設置できる）あらかじめ設定された閾値より低くすると、基地局のエネルギー消費量を節約するために、基地局が主動的にRNCにメッセージを送り、RNCがこのセルを非MIMOモードに再配置するように準備すると指示し、或はRNCが主動的にこのセルを非MIMOモードに再配置するように準備するステップ301と；
RNCがMIMOセルを非MIMOセルに再配置する前に、基地局とUEとが同期することを維持するために、RNCが先にCFN付きのSIBメッセージによって、UEにこのMIMOセルが指定されたCFNで非MIMOセルに再配置しようと通知でき、RNCが再配置メッセージ或は他のメッセージによって、UEにこのMIMOセルが指定されたCFNで非MIMOセルに再配置しようと通知できる。同時に、RNCが基地局にセルの再配置メッセージ（或は他のメッセージ又は新しく定義されたメッセージ、本発明はこれを限定しない）を送り、基地局に指定されたCFNでMIMOセルを非MIMOセルに再配置するように通知するステップ302と；
基地局がセルの再配置メッセージを受けた後、指定されたCFNで一つの発射アンテナを閉じ、同時に、RNCにセルを再配置することが成功した応答を返信し、その後、本来のMIMOセルが非MIMOセルに変えられ、省エネモードに入るステップ303と；
セルが非MIMOモードに再配置した後、UTRANシステムはあらかじめ設定された第二の条件によって、自動的にMIMOモードに回復し、具体的な流れが以下の通りであり：
UTRANシステムは非MIMOセルからMIMOセルに回復する時点及び非MIMOセルからMIMOセルに回復するユーザーデータ量閾値を予設する。回復時点になる或は非MIMOセルのユーザーデータ量が一定の期間内継続的に（ここでのある時間は事業者の実際の状況に応じ設置できる）あらかじめ設定された閾値より高くすると、MIMOユーザーの体験程度を満足するために、基地局が主動的にRNCにメッセージを送り、RNCがこのセルをMIMOモードに再配置するように準備すると通知し、或はRNCが主動的このセルをMIMOモードに再配置するように準備するステップ304と、
RNCが非MIMOセルをMIMOセルに再配置する前に、基地局とUEとが同期することを保持するように、RNCは先にCFN付きのSIBメッセージによって、UEがこの非MIMOセルを指定されたCFNでMIMOセルに再配置するように通知でき、RNCは再配置メッセージによって、UEがこの非MIMOセルを指定されたCFNでMIMOセルに再配置するように通知できる。同時に、RNCが基地局にセルの再配置メッセージを送り、基地局に指定されたCFNで非MIMOセルをMIMOセルに再配置するように通知するステップ305と、
基地局がセルの再配置メッセージを受けた後、指定されたCFNで閉じられた一つの発射アンテナを回復し、同時に、RNCにセルを再配置することが成功する応答を返信し、その後、以前のMIMOセルモードに回復し、正常工作モードに入るステップ306とが含まれる。
【００４４】
本発明の基地局の省エネシステムは、
第一の条件を満たす時、省エネモードに入り、この基地局の少なくとも１つのマルチ入力マルチ出力（MIMO）セルを非MIMOセルに再配置し；第二の条件を満たすと、正常モードに入り、この基地局の少なくとも１つの非MIMOセルをMIMOセルに再配置することに用いられる基地局が含まれる。
【００４５】
第一の条件はMIMOセルのユーザーデータ量が一定の期間内継続的に、あらかじめ設定されたMIMOセルを非MIMOセルに再配置するユーザーデータ量閾値よりも小さいこと、及び／又は、システムにあらかじめ設定されたMIMOセルを非MIMOセルに再配置する時点であることが含まれる。
【００４６】
第二の条件は非MIMOセルのユーザーデータ量が一定の期間内継続的に、あらかじめ設定された非MIMOセルからMIMOセルに回復するユーザーデータ量閾値よりも大きいこと、及び／又はシステムにあらかじめ設定された非MIMOセルからMIMOセルに回復した時点であることが含まれる。
【００４７】
システムはCFN付きの再配置メッセージを基地局に送信し、基地局にMIMOセルを非MIMOセルに再配置するように要求する基地局のコントローラーと；
この再配置メッセージを受けた後、指定されたCFNで指定セルを非MIMOセルに再配置し、且つ一つの発射アンテナを閉じることに更に用いられる基地局が含まれる。
【００４８】
基地局のコントローラーはMIMOセルを非MIMOセルに再配置する前に、CFN付きのSIBメッセージ或は再配置メッセージによって、UEにこのCFNの時、このMIMOセルが非MIMOセルに再配置されることを通知することに更に用いられる。
【００４９】
前記システムはCFN付きの再配置メッセージを基地局に送信し、基地局が非MIMOセルをMIMOセルに再配置するように指示することに用いられる基地局のコントローラーと、
この再配置メッセージを受けた後、指定されたCFNで指定セルをMIMOセルに再配置し、且つ閉じられた一つの発射アンテナを開けることに更に用いられる基地局とが更に含まれる。
【００５０】
基地局のコントローラーは非MIMOセルをMIMOセルに再配置する前に、CFN付きのSIBメッセージ或は再配置メッセージによって、UEにこのCFNの時、この非MIMOセルがMIMOセルに再配置されることを通知することに更に用いられる。
【００５１】
基地局の省エネシステムであって、
第一の条件を満たすと、基地局が送信した指示メッセージを受信し、MIMOセルを非MIMOセルに再配置し；第二の条件を満たすと、基地局が送信する指示メッセージを受信し、非MIMOセルをMIMOセルに再配置し；或は、
第一の条件を満たすと、主動的にMIMOセルを非MIMOセルに再配置し；第二の条件を満たすと、主動的に非MIMOセルをMIMOセルに再配置するように設置された基地局のコントローラーを含む。
【００５２】
上記基地局のコントローラーはRNCである。
【００５３】
本発明はUMTSシステムに応用される以外に、他のMIMOシステムにも応用することができ、本発明はこれを限定しないものとする。
【００５４】
例示するように、本発明の好適な実施例を開示しておるが、当業者は各種の改善、増加、置換が可能であることを理解できるため、本発明の範囲は上記実施例を限定しないものである。
【００５５】
当業者は上記方法中の全部或は部分的なステップがプログラムで関連ハードウェアを命令し、完成されることができ、上記プログラムはコンピューターの可読記憶媒体に記憶でき、例えば読み出し専用メモリ、磁気ディスク或は光ディスク等と理解できる。上記実施例の全部或は部分ステップが1つ或は複数の集積回路で実現できることは選択できる。それに対応して、上記実施例における各モジュール／ユニットはハードウェアの形式で実現されることができ、ソフトウェアー機能モジュールの形式でも実現できる。本発明は如何なる特定な形式のハードウェアとソフトウェアーの結合に限らないものとする。
【００５６】
〔産業上の利用可能性〕
本文に提供された基地局の省エネ方法とシステムは動的にセルモードを配置でき、そうして、MIMO端末の体験程度を維持した上で、ユーザーデータ量が大きくしない場合に基地局のエネルギー消費量を節約できる。
【図面の簡単な説明】
【００５７】
【図１】UTRANの体系構造図である。
【図２】MIMOの技術原理図である。
【図３】本発明による実施流れ図である。
【図１】
2013506356.tif 000003
【図２】
2013506356.tif 000004
【図３】
2013506356.tif 000005
【国際調査報告】
2013506356.tif 000006
2013506356.tif 000007
2013506356.tif 000008
2013506356.tif 000009